(57)【要約】【課題】  本発明は、プレイリストに使用したオリジナルタイトルを削除しても、実体のオリジナルタイトルは削除されずに残すことができる記録再生装置を提供することを目的とする。【解決手段】  本発明の記録再生装置は、ユーザが記録された複数の映像情報のうち、複数の映像情報を指定すると、指定された複数の映像情報で新たな映像信号を作成することを特徴とする。【選択図】  図５
2007095217.tif 000002
【特許請求の範囲】
【請求項１】
映像情報を記録し、記録された複数の前記映像情報からユーザにより、前記映像情報の
指定及び指定された前記映像情報の再生順序を指定するプレイリストにしたがって指定さ
れた前記映像情報を再生する記録再生装置において、
ユーザが前記記録された複数の映像情報のうち、複数の前記映像情報を指定すると、指
定された複数の映像情報で新たな映像信号を作成することを特徴とする記録再生装置。
【請求項２】
映像情報を記録し、記録された複数の前記映像情報からユーザにより、前記映像情報の
指定及び指定された前記映像情報の再生順序を指定するプレイリストにしたがって指定さ
れた前記映像情報を再生する記録再生装置において、
ユーザが前記記録された複数の映像情報のうち、複数の前記映像情報を指定すると、指
定された複数の映像情報で新たな映像信号を作成するとともに、
前記ユーザより、前記新たな映像信号の元となる前記映像信号の削除指示があった場合
には、前記元となる映像信号を削除することを特徴とする記録再生装置。
【請求項３】
映像情報を第1のフォルダに記録し、記録された複数の前記映像情報からユーザにより
、前記映像情報の指定及び指定された前記映像情報の再生順序を指定するプレイリストに
したがって指定された前記映像情報を再生する記録再生装置において、
ユーザが前記記録された複数の映像情報のうち、複数の前記映像情報を指定すると、指
定された複数の映像情報で新たな映像信号を作成するとともに、この映像信号に対応する
プレイリストを作成するとともに、
前記第1のフォルダには、前記新たな映像信号に対応するプレイリストを記録させると
ともに、第2のフォルダに、前記新たな映像信号を記録することを特徴とする記録再生装
置。
【請求項４】
映像情報を記録し、記録された複数の前記映像情報からユーザにより、前記映像情報の
指定及び指定された前記映像情報の再生順序を指定するプレイリストにしたがって指定さ
れた前記映像情報を再生する記録再生装置において、
ユーザが前記記録された複数の映像情報のうち、複数の前記映像情報を指定すると、指
定された複数の映像情報で新たな映像信号を作成するとともに、この映像信号に対応する
プレイリストを作成するとともに、
前記新たな映像信号に対応するプレイリストで参照されている映像信号を削除禁止とし
て扱うことを特徴とする記録再生装置。
【請求項５】
映像情報を記録し、記録された複数の前記映像情報からユーザにより、前記映像情報の
指定及び指定された前記映像情報の再生順序を指定するプレイリストにしたがって指定さ
れた前記映像情報を再生する記録再生装置において、
ユーザが前記記録された複数の映像情報のうち、複数の前記映像情報を指定すると、指
定された複数の映像情報で新たな映像信号を作成するとともに、この映像信号に対応する
プレイリストを作成するとともに、
前記新たな映像信号に対応するプレイリストで参照されている映像信号に所定の印をつ
けて表示することを特徴とする記録再生装置。
【発明の詳細な説明】
【技術分野】
【０００１】
本発明は、映像情報を記録，再生可能な記録再生装置に関する。
【背景技術】
【０００２】
DVDドライブを備えた再生装置が知られている。該装置において、DVDに書き込まれてい
る情報の内容を示すプログラムリストと、その書き込まれている情報のユーザ指定の再生
順番を示すプレイリストとを、これらが書き込まれているDVDの管理情報ごと読み出し、
この中からプログラムリスト及びプレイリストを読み出し、これらを同時表示することが
知られている。
【特許文献１】特開2001-266459号公報
【発明の開示】
【発明が解決しようとする課題】
【０００３】
しかし、従来の記録再生装置では、誤削除を防ぐため、オリジナルのプログラムリスト
と、ユーザの設定したプレイリストを分割して表示しており、上記再生装置より操作性お
よび効率が悪いという問題点があった。
【０００４】
本発明は、記録再生装置においても、オリジナルタイトルとプレイリストを同時に表示
するとともに、プレイリストに使用したオリジナルタイトルの誤削除を防ぐため、プレイ
リストに使用したオリジナルタイトルを削除しても、実体のオリジナルタイトルは削除さ
れずに残すことができる記録再生装置を提供することを目的とする。
【課題を解決するための手段】
【０００５】
上記目的を達成するために、本発明の記録再生装置は、
映像情報を記録し、記録された複数の前記映像情報からユーザにより、前記映像情報の
指定及び指定された前記映像情報の再生順序を指定するプレイリストにしたがって指定さ
れた前記映像情報を再生する記録再生装置において、
ユーザが前記記録された複数の映像情報のうち、複数の前記映像情報を指定すると、指
定された複数の映像情報で新たな映像信号を作成することを特徴とする。
【０００６】
そして、たとえ新たに作成した映像信号の元の映像信号を削除しても、映像信号は残っ
ているので、ユーザの誤消去に対応できる。
【０００７】
また、映像情報を記録し、記録された複数の前記映像情報からユーザにより、前記映像
情報の指定及び指定された前記映像情報の再生順序を指定するプレイリストにしたがって
指定された前記映像情報を再生する記録再生装置において、
ユーザが前記記録された複数の映像情報のうち、複数の前記映像情報を指定すると、指
定された複数の映像情報で新たな映像信号を作成するとともに、
前記ユーザより、前記新たな映像信号の元となる前記映像信号の削除指示があった場合
には、前記元となる映像信号を削除することを特徴とする。
【０００８】
そして、ユーザが誤って新たに作成した映像信号の元の映像信号を削除しても、元の映
像信号のみを削除することで、新たに作成した映像信号の一部には該映像信号が残ってい
るので、ユーザの誤消去に対応することができる。
【０００９】
また、映像情報を第1のフォルダに記録し、記録された複数の前記映像情報からユーザ
により、前記映像情報の指定及び指定された前記映像情報の再生順序を指定するプレイリ
ストにしたがって指定された前記映像情報を再生する記録再生装置において、
ユーザが前記記録された複数の映像情報のうち、複数の前記映像情報を指定すると、指
定された複数の映像情報で新たな映像信号を作成するとともに、この映像信号に対応する
プレイリストを作成するとともに、
前記第1のフォルダには、前記新たな映像信号に対応するプレイリストを記録させると
ともに、第2のフォルダに、前記新たな映像信号を記録することを特徴とする。
【００１０】
そして、第1のフォルダにはプレイリストのみで、元の映像信号は別のフォルダ(第2の
フォルダ)にあるため、ユーザが第1のフォルダのプレイリストを誤削除しても、元の映像
信号は残っているので、ユーザの誤削除に対応することができる。
【００１１】
また、映像情報を記録し、記録された複数の前記映像情報からユーザにより、前記映像
情報の指定及び指定された前記映像情報の再生順序を指定するプレイリストにしたがって
指定された前記映像情報を再生する記録再生装置において、
ユーザが前記記録された複数の映像情報のうち、複数の前記映像情報を指定すると、指
定された複数の映像情報で新たな映像信号を作成するとともに、この映像信号に対応する
プレイリストを作成するとともに、
前記新たな映像信号に対応するプレイリストで参照されている映像信号を削除禁止とし
て扱うことを特徴とする。
【００１２】
また、映像情報を記録し、記録された複数の前記映像情報からユーザにより、前記映像
情報の指定及び指定された前記映像情報の再生順序を指定するプレイリストにしたがって
指定された前記映像情報を再生する記録再生装置において、
ユーザが前記記録された複数の映像情報のうち、複数の前記映像情報を指定すると、指
定された複数の映像情報で新たな映像信号を作成するとともに、この映像信号に対応する
プレイリストを作成するとともに、
前記新たな映像信号に対応するプレイリストで参照されている映像信号に所定の印をつ
けて表示することを特徴とする。
【発明の効果】
【００１３】
本発明によれば、ユーザが好みのタイトルのみを続けて再生させたい場合は、プレイリ
ストを作成するのではなく、ユーザが好みのタイトルを結合したタイトルをオリジナルと
して作成させることで、ユーザの誤操作による誤削除を防ぐことができる。
【発明を実施するための最良の形態】
【００１４】
以下、図面を参照して本発明の実施の形態を説明する。図１は、この実施の形態で説明
する記録再生装置を示している。この実施の形態は、記録媒体として、ＤＶＤ−ＲＡＭ及
びハードディスクの両方を取り扱うことができる記録再生装置として示しているが、いず
れか一方のみの記録媒体を取り扱う装置に対しても、この発明は適用可能である。
【００１５】
図１の各ブロックを大きく分けると、左側には記録部の主なブロックを示し、右側には
再生部の主なブロックを示している。
【００１６】
図１に示す記録再生装置における再生処理は、プログラムの再生順序を示すプログラム
チェーン情報（ＰＧＣＩ）に従って行われ、このＰＧＣＩでは、複数のプログラム（ＰＧ
）を指定することができ、このＰＧＣＩにはセルインフォメーション（ＣＩ）が定義され
ている。そしてＣＩによりセルエントリーポイント（Ｃ＿ＥＰＩ）が指定され、再生すべ
き対象となるＶＯＢが特定されることになる。また、記録順に再生するための特別なＰＧ
ＣをオリジナルＰＧＣと称し、このオリジナルＰＧＣの情報は、ＯＲＧ＿ＰＧＣＩとして
記録されている。さらに、このときのビデオデータの属性情報（解像度情報、アスペクト
情報、音声属性情報など）は、ＶＭＧＩ内のストリームインフォメーション（ＳＴＩ）に
記録される。また、上記したパックは、データ転送処理を行う最小単位である。さらに、
論理上の処理を行う最小単位はセルで、論理上の処理はこの単位で行われる。したがって
、録画が行われるときは、上記のフォーマットに合致する形式に記録信号が変換される。
記録再生装置は、ハーディスクドライブ装置２００１と、ビデオファイルを構築できる
情報記憶媒体である光ディスク１００１を回転駆動し、この光ディスク１００１に対して
情報の読み書きを実行するディスクドライブ３５と、録画側を構成するエンコーダ部５０
と、再生側を構成するデコーダ部６０と、装置本体の動作を制御するマイクロコンピュー
タブロック３０とを、主たる構成要素としている。
【００１７】
エンコーダ部５０は、ＡＤＣ（アナログデジタルコンバータ）５２と、Ｖ(ビデオ)エン
コーダと、Ａ（オーディオ）エンコーダと、ＳＰ（副映像）エンコーダを含むエンコーダ
群５３と、各エンコーダの出力を所定のフォーマットにするフォーマッタ５６と、バッフ
ァメモリ５７とを備えている。
【００１８】
ＡＤＣ５２には、ＡＶ入力部４２からの外部アナログビデオ信号＋外部アナログオーデ
ィオ信号、あるいはＴＶ（テレビジョン）チューナ４４からのアナログビデオ信号＋アナ
ログ音声信号が入力される。
【００１９】
ＡＤＣ５２は、入力されたアナログビデオ信号を、例えばサンプリング周波数１３．５
ＭＨｚ、量子化ビット数８ビットでデジタル化する。すなわち、輝度成分Ｙ、色差成分Ｃ
ｒ（またはＹ−Ｒ）及び色差成分Ｃｂ（またはＹ−Ｂ）が、それぞれ８ビットで量子化さ
れることになる。
【００２０】
同様に、ＡＤＣ５２は、入力されたアナログオーディオ信号を、例えばサンプリング周
波数４８ｋＨｚ、量子化ビット数１６ビットでデジタル化する。
【００２１】
なお、ＡＤＣ５２にデジタルビデオ信号やデジタルオーディオ信号が入力されるときは
、ＡＤＣ５２は、デジタルビデオ信号やデジタルオーディオ信号をスルーパスさせる。そ
して、これらのデジタルビデオ信号及びデジタルオーディオ信号に対して、内容は改変す
ることなく、ジッタ低減処理やサンプリングレート変更処理等は行なってもよい。
【００２２】
ＡＤＣ５２から出力されたデジタルビデオ信号は、Ｖエンコーダを介してフォーマッタ
５６に送られる。また、ＡＤＣ５２から出力されたデジタルオーディオ信号は、Ａエンコ
ーダを介してフォーマッタ５６に送られる。
【００２３】
Ｖエンコーダは、入力されたデジタルビデオ信号を、ＭＰＥＧ２またはＭＰＥＧ１規格
に基づいて、可変ビットレートで圧縮されたデジタル信号に変換する機能を持つ。また、
Ａエンコーダは、入力されたデジタルオーディオ信号を、ＭＰＥＧまたはＡＣ−３規格に
基づいて、固定ビットレートで圧縮されたデジタル信号またはリニアＰＣＭのデジタル信
号に変換する機能を持つ。
【００２４】
副映像情報がＡＶ入力部４２から入力された場合（例えば副映像信号の独立出力端子付
ＤＶＤビデオプレーヤからの信号）、あるいはこのようなデータ構成のＤＶＤビデオ信号
が放送され、それがＴＶチューナ４４で受信された場合は、ＤＶＤビデオ信号中の副映像
信号（副映像パック）が、ＳＰエンコーダに入力される。ＳＰエンコーダに入力された副
映像信号は、所定の信号形態にアレンジされて、フォーマッタ５６に送られる。
【００２５】
フォーマッタ５６は、バッファメモリ５７をワークエリアとして使用しながら、入力さ
れたビデオ信号、オーディオ信号、副映像信号等に対して所定の信号処理を行なうことに
より、所定のＤＶＤフォーマット（ファイル構造）に合致した記録データをデータプロセ
ッサ３６に出力する。
【００２６】
ここで、この記録再生装置は、エンコーダ部５０でエンコードされた情報、及び、作成
された管理情報を、データプロセッサ３６を介してハードディスク装置２００１に供給し
、ハードディスクに記録することができる。またハードディスクに記録された情報を、デ
ータプロセッサ３６、ディスクドライブ３５を介して光ディスク１００１に記録すること
もできる。さらにまた、エンコーダ部５０でエンコードされた情報、及び、作成された管
理情報をデータプロセッサ３６、ディスクドライブ３５を介して、光ディスク１００１に
記録することもできる。
【００２７】
また、この記録再生装置は、ハードディスク装置２００１のハードディスクに記録され
ている情報が、光ディスク１００１のデータフォーマットと同じである場合、ハードディ
スクの情報を光ディスク１００１にエンコード処理すること無く記録することができる。
【００２８】
またハードディスク装置２００１のハードディスクに記録されている情報が、光ディス
ク１００１のデータフォーマットと異なる場合は、ハードディスクから読み出した情報を
エンコーダ部５０でエンコードする。そしてエンコードされた情報を光ディスク１００１
に記録することができる。
【００２９】
ここで、上記光ディスク１００１への記録データを作成するための標準的なエンコード
処理内容を簡単に説明しておく。すなわち、エンコーダ部５０において、エンコード処理
が開始されると、ビデオ（主映像）データ及びオーディオデータをエンコード処理するに
あたって必要なパラメータが設定される。
【００３０】
次に、設定されたパラメータを利用して主映像データがプリエンコード処理されること
により、設定された平均転送レート（記録レート）に最適な符号量の分配が計算される。
プリエンコード処理で得られた符号量分配に基づき、主映像データのエンコード処理が実
行される。このとき、オーディオデータのエンコード処理も同時に実行される。同様に、
副映像データをエンコード処理するに必要なパラメータが設定され、エンコード処理され
た副映像データが作成される。
【００３１】
エンコード処理された主映像データ、オーディオデータ及び副映像データが組み合わさ
れて、ビデオオブジェクトセットＶＯＢＳの構造に変換される。
【００３２】
すなわち、主映像データ（ビデオデータ）の最小単位としてセルが設定され、セル情報
が作成される。次に、プログラムチェーンＰＧＣを構成するセルの構成や、主映像、副映
像及びオーディオの属性等が設定され（これらの属性情報の一部は、各データをエンコー
ドするときに得られた情報が利用される）、ここに、種々の情報を含めたＶＭＧファイル
が作成される。
【００３３】
エンコード処理された主映像データ、オーディオデータ及び副映像データは、一定サイ
ズ（２０４８バイト）のパックに細分化される。なお、パック内には、適宜、再生時刻を
示すＰＴＳ（プレゼンテーションタイムスタンプ）や、デコード時刻を示すＤＴＳ（デコ
ーディングタイムスタンプ）等のタイムスタンプが記述される。副映像のＰＴＳについて
は、同じ再生時間帯の主映像データあるいはオーディオデータのＰＴＳより任意に遅延さ
せた時間を記述することができる。
【００３４】
そして、各データのタイムコード順に再生可能なように、ビデオオブジェクトユニット
ＶＯＢＵ単位でその先頭にＲＤＩパック(ナビゲーションパックに相当)を配置しながら各
セルが配置される。これにより、複数のセルで構成されるビデオオブジェクトＶＯＢが構
成される。このビデオオブジェクトＶＯＢを１つ以上集めてなるビデオオブジェクトセッ
トＶＯＢＳが、ムービービデオファイルにプログラムとして記録される。
【００３５】
なお、ＤＶＤビデオプレーヤからＤＶＤ再生信号をデジタルコピーする場合には、上記
セル、プログラムチェーン、管理テーブル、タイムスタンプ等の内容は始めから決まって
いるので、これらを改めて作成する必要はない。
【００３６】
光ディスク１００１に対して、情報の読み書き（録画及び／または再生）を実行する部
分としては、光学系、駆動系を有するディスクドライブ３５と、データプロセッサ３６と
、一時記憶部３７と、ＳＴＣ（システムタイムカウンタまたはシステムタイムクロック）
３８とを備えている。
【００３７】
一時記憶部３７は、データプロセッサ３６、ディスクドライブ３５介して光ディスク１
００１に書き込まれるデータ（エンコーダ部５０から出力されるデータ）のうちの一定量
分をバッファリングしたり、ディスクドライブ３５、データプロセッサ３６を介して光デ
ィスク１００１から再生されたデータ（デコーダ部６０に入力されるデータ）のうちの一
定量分をバッファリングするのに利用される。ディスクドライブ３５は、光ディスクに対
する回転制御系、レーザ駆動系、光学系などを有する。
【００３８】
例えば、一時記憶部３７が４ＭＢ（Mega Bytes）の半導体メモリ（ＤＲＡＭ）で構成さ
れるときは、平均４Ｍbps（ビット・パー・セカンド）の記録レートでおよそ８秒分の記
録または再生データのバッファリングが可能である。また、一時記憶部３７が１６ＭＢの
ＥＥＰ（エレクトリカリー・イレーザブル・アンド・プログラマブル）ＲＯＭ（フラッシ
ュメモリ）で構成されるときは、平均４Ｍbpsの記録レートでおよそ３０秒の記録または
再生データのバッファリングが可能である。
【００３９】
さらに、一時記憶部３７が１００ＭＢの超小型ＨＤＤ（ハード・ディスク・ドライブ）
で構成されるときは、平均４Ｍbpsの記録レートで３分以上の記録または再生データのバ
ッファリングが可能となる。
【００４０】
一時記憶部３７は、録画途中で光ディスク１００１を使い切ってしまった場合において
、光ディスク１００１が新しいディスクに交換されるまでの短時間の録画情報を一時記憶
しておくことにも利用できる。
【００４１】
しかし、この記録再生装置では、大きな容量を持つハードディスク装置２００１が設け
られているので、この装置を活用することができる。
【００４２】
また、一時記憶部３７は、ディスクドライブ３５として高速ドライブ（２倍速以上）を
採用した場合において、一定時間内に通常ドライブより余分に読み出されたデータを一時
記憶しておくことにも利用できる。再生時の読み取りデータを一時記憶部３７にバッファ
リングしておけば、振動ショック等で図示しない光ヘッドが読み取りエラーを起こしたと
きでも、一時記憶部３７にバッファリングされた再生データを切り替え使用することによ
って、再生映像が途切れないようにすることができる。
【００４３】
データプロセッサ３６は、マイクロコンピュータブロック３０の制御にしたがって、エ
ンコーダ部５０から出力されたＤＶＤ記録データをディスクドライブ３５に供給したり、
光ディスク１００１から再生したＤＶＤ再生信号をディスクドライブ３５から取り込んだ
り、光ディスク１００１に記録された管理情報を書き替えたり、光ディスク１００１に記
録されたデータ（ファイルあるいはビデオオブジェクト）の削除をしたりする。
【００４４】
マイクロコンピュータブロック３０は、ＭＰＵ（マイクロプロセシングユニット）また
はＣＰＵ（セントラルプロセシングユニット）と、制御プログラム等が書き込まれたＲＯ
Ｍと、プログラム実行に必要なワークエリアを提供するためのＲＡＭとを含んでいる。
【００４５】
マイクロコンピュータブロック３０のＭＰＵは、キー入力部４７からの操作情報を受け
、ＲＯＭに格納された制御プログラムに基づいて、ＲＡＭをワークエリアとして用いて、
欠陥場所検出、未記録領域検出、録画情報記録位置設定、ＵＤＦ記録、ＡＶアドレス設定
等を実行する。
【００４６】
また、マイクロコンピュータブロック３０は、システム全体を制御するために必要な情
報処理部を有するもので、コピー情報検知・設定部、ディレクトリ検知部、ＶＭＧ管理情
報作成部を備える。
【００４７】
ＭＰＵの実行結果のうち、ディスクドライブ３５のユーザに通知すべき内容は、ＤＶＤ
ビデオレコーダの表示部４８に表示されるか、または図示しないモニタディスプレイにＯ
ＳＤ（オンスクリーンディスプレイ）表示される。
【００４８】
なお、マイクロコンピュータブロック３０が、ディスクドライブ３５、データプロセッ
サ３６、エンコーダ部５０及び／またはデコーダ部６０等を制御するタイミングは、ＳＴ
Ｃ３８からの時間データに基づいて、実行することができる。録画や再生の動作は、通常
はＳＴＣ３８からのタイムクロックに同期して実行されるが、それ以外の処理は、ＳＴＣ
３８とは独立したタイミングで実行されてもよい。
【００４９】
デコーダ部６０は、パック構造を持つ映像情報から各パックを分離して取り出すセパレ
ータ６２と、パック分離やその他の信号処理実行時に使用するメモリ６３と、セパレータ
６２で分離された主映像データ（ビデオパックの内容）をデコードするＶデコーダと、セ
パレータ６２で分離された副映像データ（副映像パックの内容）をデコードするＳＰデコ
ーダと、セパレータ６２で分離されたオーディオデータ（オーディオパックの内容）をデ
コードするＡデコーダによるデコーダ群６４と、Ｖデコーダから得られる主映像データに
ＳＰデコーダから得られる副映像データを適宜合成し、主映像にメニュー、ハイライトボ
タン、字幕やその他の副映像を重ねて出力するビデオプロセッサ６６を備えている。
【００５０】
ビデオプロセッサ６６の出力は、ビデオミクサー７１に入力される。ビデオミクサー７
１では、テキストデータの合成が行われる。またビデオミクサー７１には、また、ＴＶチ
ューナ４４やＡ／Ｖ入力部４２からの信号を直接取り込むラインも接続されている。ビデ
オミクサー７１には、バッファとして用いるフレームメモリ７２が接続されている。ビデ
オミクサー７１の出力がデジタル出力の場合は、インターフェース（Ｉ／Ｆ）７３を介し
て外部へ出力され、アナログ出力の場合は、ＤＡＣ７４を介して外部へ出力される。
【００５１】
Ａデコーダの出力がデジタル出力の場合は、インターフェース（Ｉ／Ｆ）７５を介して
外部へ出力され、アナログ出力の場合は、セレクタ７６を介してＤＡＣ７７でアナログ変
換され外部に出力される。セレクタ７６は、マイクロコンピュータブロック３０からのセ
レクト信号により、ＴＶチューナ４４やＡ／Ｖ入力部４２からの信号を直接モニタすると
き、ＡＤＣ５２からの出力を選択することも可能である。アナログオーディオ信号は、図
示しない外部コンポーネント（２チャンネル〜６チャンネルのマルチチャンネルステレオ
装置）に供給される。
【００５２】
上記の記録再生装置において、ビデオ信号の流れを簡単に説明すると、以下のようにな
る。まず、入力されたＡＶ信号はＡＤＣ５２でデジタル変換される。ビデオ信号はＶエン
コーダへ、オーディオ信号はＡエンコーダへ、文字放送等の文字データはＳＰエンコーダ
へ入力される。ビデオ信号はＭＰＥＧ圧縮され、オーディオ信号はＡＣ３圧縮またはＭＰ
ＥＧオーディオ圧縮がなされ、文字データはランレングス圧縮される。
【００５３】
各エンコーダからの圧縮データは、パック化された場合に２０４８バイトになるように
パケット化されて、フォーマッタ５６へ入力される。フォーマッタ５６では、各パケット
がパック化され、さらに、多重化され、データプロセッサ３６へ送られる。
【００５４】
ここで、フォーマッタ５６は、アスペクト情報を元に、ＲＤＩパックを作成し、ビデオ
オブジェクトユニット（ＶＯＢＵ）の先頭に配置する。データプロセッサ３６は、１６パ
ック毎にＥＣＣブロッを形成し、エラー訂正データを付け、その出力をディスクドライブ
３５を介して光ディスク１００１へ記録する。ここで、ディスクドライブ３５がシーク中
やトラックジャンプなどの場合のため、ビジィー状態の場合には、一時記憶部３７（例え
ばＨＤＤバッファ部）へ入れられ、ＤＶＤ−ＲＡＭドライブ部（ディスクドライブ３５）
の準備ができるまで待つこととなる。
【００５５】
さらに、フォーマッタ５６では、録画中、各切り分け情報を作成し、定期的にマイクロ
コンピュータブロック３０のＭＰＵへ送る（ＧＯＰ先頭割り込み時などの情報）。
【００５６】
切り分け情報としては、ＶＯＢＵのパック数、ＶＯＢＵ先頭からのＩピクチャのエンド
アドレス、ＶＯＢＵの再生時間などである。
【００５７】
同時に、アスペクト情報を録画開始時にＭＰＵへ送り、ＭＰＵはＶＯＢストリーム情報
（ＳＴＩ）を作成する。ここで、ＳＴＩは、解像度データ、アスペクトデータなどを保存
し、再生時、各デコーダ部はこの情報を元に初期設定を行われる。
【００５８】
また、録再ＤＶＤでは、ビデオファイルは１ディスクに１ファイルとしている。
【００５９】
ここで、ＤＶＤを利用したリアルタイム録再機において、注意すべき点は、データをア
クセスする場合において、そのアクセス（シーク）している間に、とぎれないで再生を続
けるために、最低限連続するセクタが必要になってくる。この単位をＣＤＡ（コンティギ
ュアス・データ・エリア）という。つまりシームレス再生を実現するために予め取り決め
られているデータサイズである。
【００６０】
このＣＤＡは、ＥＣＣブロック単位となっている方が有利である。そのため、ＣＤＡサ
イズは１６セクタの倍数にし、ファイルシステムでは、このＣＤＡ単位で記録を行ってい
る。ただし、この場合、ディスク内にうまくＣＤＡの大きさの空き領域がない場合などは
、別のファイルが使用している短いセクタが、ＣＤＡ内に入り込むことも許している。こ
れにより、ＣＤＡ単位で記録することができる。
【００６１】
図２には、ビデオマネージャー（ＶＭＧ）の階層構造を示し、その中でデータ再生順序
を管理する系統について詳しく示している。
【００６２】
ビデオファイルに記録されたデータ再生順序は、図２に示すような、プログラムチェー
ン（ＰＧＣ）で定義されている。このプログラムチェーン（ＰＧＣ）には、セル（Ｃｅｌ
ｌ）が定義され、さらにセル（Ｃｅｌｌ）には、再生すべき対象となるＶＯＢが定義され
ている。このＰＧＣの具体的情報を記録してある部分がＶＭＧファイルの中のプログラム
チェーン情報（ＰＧＣＩ）部分である。ＰＧＣＩには、２種類が存在し、１つはオリジナ
ルＰＧＣＩ（ＯＲＧ＿ＰＧＣＩ）、もう1つはユーザディファインドＰＧＣテーブル（Ｕ
Ｄ＿ＰＧＣＩＴ）である。
【００６３】
ＵＤ＿ＰＧＣはＯＲＧ＿ＰＧＣの中の一部をユーザが選択することにより、その選択し
たパート（チャプタ或はタイトル）を任意に繋げて管理する情報であり、プレイリストと
も言われる。このＵＤ＿ＰＧＣは複数作成することができる。
【００６４】
図３には、上記プログラムチェーン情報（ＰＧＣＩ）内のプログラムチェーン情報テー
ブル（ＰＧＩＴ）の内容をさらに詳しく示している。プログラムチェーン情報としては、
このプログラムチェーンに対応するプログラムが消去可能か否かを示すプログラムタイプ
（ＰＧ＿ＴＹ）、このプログラム内のセル数、このプログラムで記述されるプライマリー
テキスト情報（ＰＲＭ＿ＴＸＴＩ）、テキスト情報へのポインタ番号（ＩＴ＿ＴＸＴ＿Ｓ
ＲＰＮ）、代表画像情報（ＲＥＰ＿ＰＩＣＴＩ＝セル番号及びそのセル内でのポインタ）
が記述される。
【００６５】
図４には、またビデオマネージャー（ＶＭＧ）内のムービーＡＶファイル情報テーブル
（Ｍ＿ＡＶＦＩＴ）を階層的に示している。このテーブルの情報は、記録されているＶＯ
Ｂ（プログラム）の数、各ＶＯＢに対応するオーディオや副映像のストリームの番号、各
ＶＯＢの属性（テレビジョン方式、アスペクト比等）がストリーム情報（Ｍ＿ＶＯＢ＿Ｓ
ＴＩ）として記録されている。さらにＭ＿ＡＶＦＩとしては、一般情報として、ＶＯＢが
再生可能なものか、仮消去されたものかを示す情報、ＶＯＢを記録した日時情報（レコー
ディングタイム）が記述されている。さらに個々の情報として、各ＶＯＢのサーチポイン
タ、複数のＶＯＢを連続再生する情報（ＳＭＬＩ）としてのシステムクロック情報が記述
されている。さらにまた、ＶＯＢ内のＶＯＢＵのタイムマップ情報（ＴＭＡＰＩ）が記述
されている。タイムマップ情報は、特殊再生等を行なうときに利用可能である。
【００６６】
ここで、この記録再生装置には、結合タイトル作成機能が設けられている。図５は、選
択した複数のタイトルまたはチャプタを結合させ、新たなタイトルを作成する例である。
【００６７】
図５において、図５(a)に示すように、ユーザが好みのタイトル(例えば、B，C，I)をキ
ー入力部４７若しくは図示しないリモコンを用いて選択すると、選択したタイトルが下に
表示され、画面右下の作成ボタンを選択すると、図５(b)に示すように、新たにタイトルK
が作成される。タイトルKの中身は、図５(a)でユーザが選択したタイトルB，C，Iとなっ
ている。なお、上記は、図２に示したUD_PGCを新たに作成するとともに、指定したタイト
ルをコピーし、これらをマイクロコンピュータブロック３０のワークRAMに記憶させてお
くことで実現できる。また、HDD２００１や一時記憶部３７でもかまわない。
【００６８】
図６は、図５に関連し、オリジナルタイトルBを削除した場合の管理を示す図である。
図６(a)，(b)と図５(a)，(b)は同じ図面であるが、図６(c)は、図６(b)において、ユーザ
が誤ってオリジナルタイトルBを削除した場合を示す。図６(c)では、オリジナルタイトル
Bを削除したため、タイトル一覧(図面上方)には、A，C〜Jと、図６(b)で作成したタイト
ルKが表示されている。しかし、図６において、図１の記録再生装置は、オリジナルタイ
トルBをHDD２００１若しくは光ディスク１００１から削除することなく、図６(c)に示す
ように、表示対象からはずす処理のみを行う。これは、具体的には、後述する図７のよう
にフォルダを分けて、ユーザに提示するフォルダと、オリジナルタイトルを記憶したフォ
ルダとを分け、ユーザに提示するフォルダ(こちらには、図６(c)で表示されるタイトルが
入っている)を表示することにより可能となる。なお、このフォルダは、HDD２００１に設
ければよい。
【００６９】
図７，図８は、図６でUD_PGCに使用されているオリジナルタイトル(B)を削除させず保
持する手段について説明するための図である。なお、図７，図８は、説明を簡略化するた
めに、オリジナルタイトルA，Bでユーザが指定するプレイリストDを作成し、オリジナル
タイトルA，Bを削除させないようにすることを想定している。
【００７０】
まず、図７(a)では、フォルダAにあるオリジナルタイトルA，B，Cを、図５と同様に表
示させ、ユーザがタイトルA，Bを選択することにより、プレイリストDを作成する。この
時点で、記録再生装置は、タイトルA，BをフォルダBに移動させる。そして、記録再生装
置がユーザに表示するのは、図７(b)に示すように、フォルダAのタイトルCとプレイリス
トD(但し、プレイリストDを指定すると、タイトルA，Bを表示することは可能)のみとなる
。
【００７１】
また、図８(b)では、タイトルA，Bの属性を削除禁止とする例である。これは、図３のP
C_TYを消去禁止PGとセットすることにより可能である。これにより、図８(b)に示すよう
に、オリジナルタイトルA，Bは削除禁止とすることができる。
【００７２】
図９は、ユーザに注意を促す例を示す図である。なお、図９は、図５の状態を元にした
ものである。図９(b)では、プレイリストKが使用しているタイトルがB，C，Iであること
がユーザにわかるように、各タイトルの右下端に使用している旨のマークを表示している
。なお、このマークは、例えば図３のIT_TXT_SRPNで示されるIT_TXTに入れることにより
実現できる。ユーザがもしマークのついたタイトルを削除指示した場合には、該タイトル
がプレイリストKに使用している旨の確認メッセージを表示することにより、誤消去でな
いかどうかの注意を促すことができる。
【００７３】
なお、上記した例では、タイトルを例に説明しているが、チャプタ単位でも適用可能で
ある。
【図面の簡単な説明】
【００７４】
【図１】本発明の一実施の形態による記録再生装置のブロック構成図。
【図２】同実施の形態におけるビデオマネージャーＶＭＧの階層構造を説明するために示す図。
【図３】同実施の形態におけるプログラムチェーン情報テーブルＰＧＩＴの詳細を説明するために示す図。
【図４】同実施の形態におけるムービーＡＶファイル情報テーブルＭ＿ＡＶＦＩＴの階層構造を説明するために示す図。
【図５】選択した複数のタイトルを結合させ、タイトルを作成する例。
【図６】プレイリストを作成する際に選択したタイトルの管理方法例。
【図７】プレイリストに使用したタイトルのフォルダ位置を変更する例。
【図８】プレイリストに使用したタイトルの属性を削除禁止にする例。
【図９】プレイリストに使用したタイトルにプレイリスト使用マークを表示する例。
【符号の説明】
【００７５】
３０  マイクロコンピュータブロック
３７  一時記憶部
４７  キー入力部
１００１  光ディスク
２００１  HDD
【図１】
2007095217.tif 000003
【図２】
2007095217.tif 000004
【図３】
2007095217.tif 000005
【図４】
2007095217.tif 000006
【図５】
2007095217.tif 000007
【図６】
2007095217.tif 000008
【図７】
2007095217.tif 000009
【図８】
2007095217.tif 000010
【図９】
2007095217.tif 000011